(57)【要約】      （修正有）【課題】スムーズに引き出すことができるとともに、置かれた物品が重すぎて底部が下側に凹むことを防ぐことができる収納箱体のベース構造を提供する。【解決手段】収納箱体のベース構造は、ベース１０、４つの支持ピラー２０、カバープレート３０及び収納ケース４０を備える。ベース１０の四隅には、組立孔１１が穿設され、組立孔１１の内端両側に摺動レール１２が設けられている。摺動レール１２は、前端に設けられた前ストッパと、後端に設けられた後ストッパとを有する。２つの摺動レール１２の前ストッパの内端には、第１ローラ１４がそれぞれ枢着された２つの第１ローラ台が設けられ、ベース１０の中央部の前縁部には、第２ローラ台１５により第２ローラ１６が枢着されている。【選択図】図２
0003162326.tif 000002
【実用新案登録請求の範囲】
【請求項１】
ベース、４つの支持ピラー、カバープレート及び収納ケースを備える収納箱体のベース構造であって、
前記ベースの四隅には、組立孔が穿設され、前記組立孔の内端両側に摺動レールが設けられ、前記摺動レールは、前端に設けられた前ストッパと、後端に設けられた後ストッパと、を有し、２つの前記摺動レールの前記前ストッパの内端には、第１ローラがそれぞれ枢着された２つの第１ローラ台が設けられ、前記ベースの中央部の前縁部には、第２ローラ台により第２ローラが枢着され、
前記４つの支持ピラーは、上端に設けられた上接続部と、下端に設けられた下接続部と、を有し、前記下接続部は、前記ベースの前記組立孔に挿設され、
前記カバープレートは、底面の四隅に設けられた接合孔を有し、前記ベースの上方に配置され、前記接合孔により前記支持ピラーの前記上接続部が嵌合され、
前記収納ケースは、底面の両側縁部にブロックがそれぞれ凸設され、前記ベース、前記４つの支持ピラー及び前記カバープレートを含むフレームの中に摺動可能に配置され、前記ベースの前記第１ローラ及び前記第２ローラにより前記収納ケースの底面を支え、前記摺動レールにより２つの前記ブロックの位置を拘束することを特徴とする収納箱体のベース構造。
【請求項２】
前記第１ローラ及び前記第２ローラのそれぞれは、内部に球が配置されていることを特徴とする請求項１に記載の収納箱体のベース構造。
【請求項３】
前記ベースは、前記組立孔の底部に凹設された固定孔を有することを特徴とする請求項１に記載の収納箱体のベース構造。
【請求項４】
前記支持ピラーの前記上接続部には、前記ベースの前記固定孔が嵌合され、
前記支持ピラーの両端に前記ベースをそれぞれ組み合わせ、さらに別の支持ピラー、収納ケース及びカバープレートを取り付けて前記収納ケースを複数積層させることを特徴とする請求項３に記載の収納箱体のベース構造。
【請求項５】
前記収納ケースは、前端面の底縁に設けられた取手部と、前記前端面の両側部に凸設された側部ストッパとを有することを特徴とする請求項１に記載の収納箱体のベース構造。
【考案の詳細な説明】
【技術分野】
【０００１】
本考案は、収納箱体のベース構造に関するものであり、さらに詳しくは、収納ケースの底部及びベース構造を利用し、収納ケースをスムーズに引き出すことができる収納箱体のベース構造に関するものである。
【背景技術】
【０００２】
従来の収納箱体の収納ケース構造は、収納空間が内部に設けられた方形状筐体を有する。この収納空間には、収納ケースが摺動可能に収納される。収納ケースの底部には、スライド部が凸設されている。方形状筐体の底部には、収納空間の側部にスライドレールが設けられている。収納ケースは、スライド部がスライドレールに接しながら摺動するが、収納ケースを不用意に引き出した場合、方形状筐体から収納ケースが落下する虞があった。
【０００３】
本考案者は、収納箱体の構造について多数の提案をしてきているが、例えば、実用新案登録第３１５０３７９号公報（以下、「特許文献１」という。）によれば、収納箱の引き出しスタック構造を開示したものであり、スタックの安定度を増加させるように構成されているが、収納ケースの引き出しをさらにスムーズに行なうことが可能な構造のものが切望されてきた。
【特許文献１】実用新案登録第３１５０３７９号公報
【考案の開示】
【考案が解決しようとする課題】
【０００４】
従って、本考案の課題は、収納ケースの底部及びベース構造を利用し、収納ケースをスムーズに引き出すことができるとともに、収納ケースに置かれた物品が重すぎて底部が下側に凹むことを防ぐことができる収納箱体のベース構造を提供することにある。
【課題を解決するための手段】
【０００５】
そこで、本考案者は、前記の本考案の課題を解決するため、鋭意検討を重ねた結果、収納箱体において、ベース、支持ピラー、カバープレート及び収納ケースからなるベース構造を後述のように特定の構成とすることにより、収納ケースの摺動がスムーズな状態となることに着目し、かかる知見に基いて本考案に想到した。
【０００６】
かくして、前記課題を解決するために、本考案によれば、ベース、４つの支持ピラー、カバープレート及び収納ケースを備える収納箱体のベース構造であって、前記ベースの四隅には、組立孔が設けられ、前記組立孔の内端両側に摺動レールが設けられ、前記摺動レールは、前端に設けられた前ストッパと、後端に設けられた後ストッパと、を有し、２つの前記摺動レールの前記前ストッパの内端には、第１のローラがそれぞれ枢着された２つの第１のローラ台が設けられ、前記ベースの中央部の前縁部には、第２のローラ台により第２のローラが枢着され、前記４つの支持ピラーは、上端に設けられた上接続部と、下端に設けられた下接続部と、を有し、前記下接続部は、前記ベースの前記組立孔に挿設され、前記カバープレートは、底面の四隅に設けられた接合孔を有し、前記ベースの上方に配置され、前記接合孔により前記支持ピラーの前記上接続部が嵌合され、前記収納ケースは、底面の両側縁部にブロックがそれぞれ凸設され、前記ベース、前記４つの支持ピラー及び前記カバープレートを含むフレームの中に摺動可能に配置され、前記ベースの前記第１のローラ及び前記第２のローラにより前記収納ケースの底面を支え、前記摺動レールにより２つの前記ブロックの位置を拘束することを特徴とする収納箱体のベース構造が提供される。
【０００７】
前記第１のローラ及び前記第２のローラのそれぞれは、内部に球が配置されていることが好ましい。
【０００８】
前記ベースは、前記組立孔の底部に凹設された固定孔を有することが好ましい。
【０００９】
前記支持ピラーの前記上接続部には、前記ベースの前記固定孔が嵌合され、前記支持ピラーの両端に前記ベースをそれぞれ組み合わせ、さらに別の支持ピラー、収納ケース及びカバープレートを取り付けて前記収納ケースを複数積層させることが好ましい。
【００１０】
前記収納ケースは、前端面の底縁に設けられた取手部と、前記前端面の両側部に凸設された側部ストッパと、を有することが好ましい。
【考案の効果】
【００１１】
本考案の収納箱体のベース構造は、収納ケースの底部及びベース構造を利用し、収納ケースをスムーズに引き出すことができるとともに、収納ケースに置かれた物品が重すぎて底部が下側に凹むような状態を防ぐことができる。
【図面の簡単な説明】
【００１２】
【図１】本考案の一実施形態による収納箱体のベース構造を示す斜視図である。
【図２】本考案の一実施形態による収納箱体のベース構造を示す分解斜視図である。
【図３】本考案の一実施形態による収納箱体のベース構造を示す部分拡大図である。
【図４】本考案の一実施形態による収納箱体のベース構造を示す側面断面図である。
【図５】本考案の一実施形態による収納ケースをベース構造から引き出すときの状態を示す側面断面図である。
【図６】本考案の他の実施形態による収納箱体のベース構造を示す分解斜視図である。
【考案を実施するための最良の形態】
【００１３】
以下、本考案の実施形態について図面に基づいて説明する。なお、これによって本考案が限定されるものではない。
【００１４】
図１〜図３を参照する。図１〜図３に示すように、本考案の一実施形態による収納箱体のベース構造は、ベース１０、４つの支持ピラー２０、カバープレート３０及び収納ケース４０を含む。ベース１０の四隅には、組立孔１１が設けられている。ベース１０は、組立孔１１の内端両側に設けられた摺動レール１２を有する。この摺動レール１２は、前端に設けられた前ストッパ１２１と、後端に設けられた後ストッパ１２２と、を有する。２つの摺動レール１２の前ストッパ１２１の内端には、第１ローラ１４がそれぞれ枢着された２つの第１ローラ台１３が設けられている。ベース１０の中央部の前縁部には、第２ローラ台１５により第２ローラ１６が枢着されている。第１ローラ１４及び第２ローラ１６それぞれの内部には、球が配置されている。４つの支持ピラー２０は、上端に設けられた上接続部２１と、下端に設けられた下接続部２２と、を有する。下接続部２２は、ベース１０の組立孔１１に挿設されている。カバープレート３０の底面の四隅には、接合孔３１が設けられている。カバープレート３０は、接合孔３１を介して支持ピラー２０の上接続部２１に嵌合され、ベース１０の上方に取り付けられている。収納ケース４０の底面の２つの縁部には、ブロック４１が凸設されている。収納ケース４０は、前端面４２の底縁に設けられた取手部４３と、前端面４２の両側部に凸設された側部ストッパ４４と、を有する。収納ケース４０は、ベース１０、４つの支持ピラー２０及びカバープレート３０を含むフレーム中に摺動可能に配置され、ベース１０の第１ローラ１４及び第２ローラ１６により収納ケース４０の底面を支える。収納ケース４０は、摺動レール１２により２つのブロック４１の位置が拘束されているため、スムーズに引き出すことができる上、引き出す際に収納ケースが不用意に落下することを防ぐことができる。
【００１５】
図２〜図４を参照する。図２〜図４に示すように、ベース１０は、複数の第１のローラ台１３に第１ローラ１４が枢着され、第２ローラ台１５に第２のローラ１６が枢着されている。ベース１０の組立孔１１には、支持ピラー２０の下接続部２２が挿設され、ベース１０の四隅に４つの支持ピラー２０が垂直に配置されると、支持ピラー２０の上接続部２１が上向きに凸設される。カバープレート３０は、カバープレート３０の接合孔３１を介して支持ピラー２０の上接続部２１へ取り付けられ、ベース１０の上方に配置されている。このように、ベース１０、４つの支持ピラー２０及びカバープレート３０を組み合わせて方形状の中空フレームを形成する。収納ケース４０は、フレーム内に摺動可能に配置され、ベース１０の第１のローラ１４及び第２ローラ１６により、収納ケース４０の底面を支える。ベース１０の摺動レール１２は、収納ケース４０のブロック４１の位置を拘束するために用い、収納ケース４０の側部ストッパ４４が支持ピラー２０に当接されると、収納ケース４０を収納して位置決めすることができる。
【００１６】
図２及び図４を参照する。図２及び図４に示すように、本実施形態の収納ケースのベース構造を実際に使用する際、収納ケース４０は、ブロック４１がベース１０の摺動レール１２の中に位置するため、摺動レール１２に沿って移動し、ブロック４１が後ストッパ１２２に当接されて位置が拘束されると、完全に閉まった状態となる。収納ケース４０を引き出して完全に開いた状態にすると、ブロック４１が前ストッパ１２１に当接され、完全に開いた状態で位置が拘束され、収納ケース４０が落下することを防ぐことができる。ユーザがベース１０の端部から収納ケース４０を引き出すときは、収納ケース４０のブロック４１を持ち上げるだけで引き出すことができる。収納ケース４０を引き出して移動させるときは、収納ケース４０の下方に配置されているベース１０の第１ローラ１４及び第２ローラ１６の内部に設けられた球により、収納ケース４０が摺動する際の抵抗力を下げ、収納ケース４０の摺動の円滑度を向上させることができる。第１ローラ１４及び第２ローラ１６は、収納ケース４０に置かれた物品が重すぎるときに、中央部分が下側に凹んで収納ケースが変形することを防いでスムーズに引き出すことができるように、５つの支点を構成するように収納ケース４０の底面に当たるように設けてもよい。
【００１７】
図２及び図６を参照する。図２及び図６に示すように、ベース１０は、組立孔１１の底部に凹設された固定孔１７を有してもよい。支持ピラー２０の上接続部２１にベース１０’の固定孔１７を嵌合させ、支持ピラー２０の両端にベース１０，１０’をそれぞれ組み合わすと、さらに別の支持ピラー２０’、収納ケース４０’及びカバープレート３０を取り付けて収納ケース４０，４０’を複数積層させることができる。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１    収納箱体
１０  ベース
１０’  ベース
１１  組立孔
１２  摺動レール
１３  第１ローラ台
１４  第１ローラ
１５  第２ローラ台
１６  第２ローラ
１７  固定孔
２０  支持ピラー
２０’  支持ピラー
２１  上接続部
２２  下接続部
３０  カバープレート
３１  接合孔
４０  収納ケース
４０’  収納ケース
４１  ブロック
４２  前端面
４３  取手部
４４  側部ストッパ
１２１  前ストッパ
１２２  後ストッパ
【図１】
0003162326.tif 000003
【図２】
0003162326.tif 000004
【図３】
0003162326.tif 000005
【図４】
0003162326.tif 000006
【図５】
0003162326.tif 000007
【図６】
0003162326.tif 000008